(57)【特許請求の範囲】
【請求項１】
操作面を有する操作部と、
前記操作面に対するユーザの接触操作を検出する検出部と、
前記操作部を振動させる振動素子と、
前記検出部によって検出された接触操作に基づいて前記振動素子の振動を制御する振動制御部と、を備え、
前記操作部は、
前記操作面を有する第１の領域と、前記第１の領域の周辺に設けられ前記第１の領域の剛性よりも高い剛性を備える第２の領域と、を有すると共に、
前記振動素子は、前記第１の領域を間に挟む位置にそれぞれ設けられ、
前記第２の領域は、前記第１の領域を間に挟む位置にそれぞれ設けられ、前記操作部を振動させる波の伝播方向に交差する方向に沿って延びることなく前記操作部を振動させる波の伝播方向に沿って延びる形状を有する一様な剛性の領域である
ことを特徴とする入力装置。
【請求項２】
前記操作部は、
前記操作面を有する振動板を備え、
前記第２の領域は、
前記振動板の少なくとも一面に補強部材を設けることによって形成される
ことを特徴とする請求項１に記載の入力装置。
【請求項３】
前記補強部材の材質は、
ステンレス鋼、ガラス、またはセラミックである
ことを特徴とする請求項２に記載の入力装置。
【請求項４】
前記操作部は、
前記操作面を有する振動板を備え、
前記第２の領域における前記振動板の厚さは、前記第１の領域における前記振動板の厚さよりも大きい
ことを特徴とする請求項１に記載の入力装置。
【請求項５】
請求項１〜４のいずれか一項に記載の入力装置と、
前記入力装置に含まれる前記検出部によって検出された接触操作に基づいて情報を表示する表示部と
を備えることを特徴とする表示装置。
【発明の詳細な説明】
【技術分野】
【０００１】
本発明は、入力装置および表示装置に関する。
【背景技術】
【０００２】
従来、操作部の操作面に対するユーザの接触操作を検出することでユーザからの入力操作を受け付けると共に操作部を振動させることでユーザに触感を与えることが可能な入力装置が知られている。
【０００３】
例えば、タッチスクリーンパネルに装着される画像表示部に装着されて振動する剛性部材が、振動を発生させる手段、質量を増加させる質量体、および振動変位を増加させる弾性部材を含む、タッチスクリーン装置が開示されている（例えば、特許文献１参照）。
【先行技術文献】
【特許文献】
【０００４】
【特許文献１】特開２０１１−０６０２６１号公報
【発明の概要】
【発明が解決しようとする課題】
【０００５】
しかしながら、従来の入力装置においては、例えば、操作部を構成する振動板の厚さおよび材料物性に依存して、操作部を振動させる際にノイズが発生する場合がある。
【０００６】
ここで、従来の入力装置において、操作部を振動させる際に発生するノイズを低減するために、操作部を構成する振動板の厚さを低減することが考えられる。
【０００７】
しかしながら、従来の入力装置において、操作部を構成する振動板の厚さを低減すると、操作部の振動が不安定になる場合がある。その結果、操作部の操作面に対する接触操作を行うユーザに適切な触感を与えられない場合がある。
【０００８】
本発明は、上記に鑑みてなされたものであって、操作部を振動させる際に発生するノイズを低減すると共に操作部の振動を安定化させることが可能な入力装置および表示装置を提供することを目的とする。
【課題を解決するための手段】
【０００９】
上記課題を解決し、目的を達成するために、本発明の入力装置は、操作部と、検出部と、振動素子と、振動制御部と、を備える。操作部は、操作面を有する。検出部は、操作面に対するユーザの接触操作を検出する。振動素子は、前記操作部を振動させる。振動制御部は、検出部によって検出された接触操作に基づいて振動素子の振動を制御する。また、操作部は、操作面を有する第１の領域と、第１の領域の周辺に設けられ第１の領域の剛性よりも高い剛性を備える第２の領域と、を有する。
【発明の効果】
【００１０】
本発明によれば、操作部を振動させる際に発生するノイズを低減すると共に操作部の振動を安定化させることが可能な入力装置および表示装置を提供することができる。
【図面の簡単な説明】
【００１１】
【図１】図１は、本発明の実施形態に係る入力装置の概要を説明する図である。
【図２】図２は、本発明の実施形態に係る表示装置の構成を説明する図である。
【図３】図３は、表示部の第１の配置例を説明する図である。
【図４】図４は、表示部の第２の配置例を説明する図である。
【図５Ａ】図５Ａは、操作部の第１の構成例を説明する平面図である。
【図５Ｂ】図５Ｂは、操作部の第１の構成例を説明する側面図である。
【図６Ａ】図６Ａは、操作部の第２の構成例を説明する平面図である。
【図６Ｂ】図６Ｂは、操作部の第２の構成例を説明する側面図である。
【図７Ａ】図７Ａは、操作部の第３の構成例を説明する平面図である。
【図７Ｂ】図７Ｂは、操作部の第３の構成例を説明する側面図である。
【発明を実施するための形態】
【００１２】
以下に、本発明の実施形態に係る入力装置および表示装置を図面に基づいて詳細に説明する。なお、以下に示す実施形態によりこの発明が限定されるものではない。
【００１３】
［１．入力装置の概要］
まず、本発明の実施形態に係る入力装置の概要について図１を用いて説明する。図１は、本発明の実施形態に係る入力装置１０の概要を説明する図である。
【００１４】
図１には、Ｘ軸、Ｙ軸、およびＺ軸を含む３次元の直交座標系が示されている。かかる３次元の直交座標系は、他の図面でも示される場合がある。図１に示すＺ軸の正方向および負方向は、それぞれ、図１の紙面に対して手前側および奥側に対応する。
【００１５】
入力装置１０は、例えば、カーナビゲーションシステムに搭載される車載用のタッチパネルに含まれる位置入力装置である。入力装置１０は、操作部１１と、第１の振動素子１３ａと、第２の振動素子１３ｂとを備える。
【００１６】
操作部１１は、操作面１１ａを有する。操作部１１は、例えば、タッチパッドである。操作面１１ａは、操作部１１の略中央に設けられる略矩形の面である。
【００１７】
第１の振動素子１３ａおよび第２の振動素子１３ｂの各々は、操作部１１を振動させる。第１の振動素子１３ａおよび第２の振動素子１３ｂの各々は、例えば、圧電アクチュエータである。第１の振動素子１３ａおよび第２の振動素子１３ｂは、操作面１１ａを挟むように、かつ、操作面１１ａの略矩形の短辺方向、すなわち、Ｙ方向に延びるように、設けられる。
【００１８】
例えば、ユーザの指が、操作面１１ａに対して接触操作を行うと、入力装置１０は、操作面１１ａに対するユーザの接触操作を検出する。それによって、入力装置１０は、ユーザからの入力操作を受け付ける。
【００１９】
また、入力装置１０は、検出されたユーザの接触操作に基づいて第１の振動素子１３ａおよび第２の振動素子１３ｂの振動を制御する。それによって、入力装置１０は、ユーザの接触操作に応じて、操作部１１の振動を制御することができる。その結果、入力装置１０は、ユーザの接触操作に応じた触感をユーザに与えることができる。
【００２０】
操作部１１は、さらに、第１の領域１１ｂと、第２の領域１１ｃおよび１１ｄとを有する。第１の領域１１ｂは、操作面１１ａを有する。第２の領域１１ｃおよび１１ｄの各々は、第１の領域１１ｂの周辺に設けられ第１の領域１１ｂの剛性よりも高い剛性を備える。
【００２１】
第１の領域１１ｂは、たとえば、操作面１１ａを含み、第１の振動素子１３ａと第２の振動素子１３ｂとの間に挟まれた略矩形の領域である。第１の領域１１ｂは、第１の振動素子１３ａおよび第２の振動素子１３ｂによって振動させられる。
【００２２】
第２の領域１１ｃおよび１１ｄの各々は、第１の領域１１ｂの周辺に設けられた略矩形の領域である。第２の領域１１ｃおよび１１ｄの各々の略矩形の長辺は、第１の領域の略矩形の長辺方向と略平行な方向、すなわち、Ｘ軸方向に設けられる。
【００２３】
ここで、操作部１１を振動させる際に発生するノイズを低減するために操作部１１を構成する振動板の厚さを低減する場合には、操作部１１の剛性が低減される。この場合においても、操作部１１は、第１の領域１１ｂの剛性よりも高い剛性を備える第２の領域１１ｃおよび１１ｄを備えることによって、操作部１１に剛性を付与することが可能となる。それによって、操作部１１の振動を安定化させることが可能となる。
【００２４】
このように、入力装置１０によれば、操作部１１を振動させる際に発生するノイズを低減すると共に操作部１１の振動を安定化させることが可能となる。
【００２５】
次に、入力装置１０を含む本発明の実施形態に係る表示装置について図２を用いて説明する。図２は、本発明の実施形態に係る表示装置１の構成を説明する図である。
【００２６】
［２．表示装置１］
表示装置１は、例えば、車両に搭載されるカーナビゲーションシステム用のモニター、スマートフォンまたはタブレット端末に用いられるタッチパネルである。表示装置１は、入力装置１０と、表示部２０とを備える。
【００２７】
［２．１．入力装置１０］
入力装置１０は、例えば、タッチパネルに含まれる位置入力装置である。入力装置１０は、ユーザからの入力操作を受け付け、ユーザからの入力操作に応じた信号を表示部２０へ出力する。入力装置１０は、操作部１１と、制御部１２と、振動部１３と、記憶部１４とを備える。
【００２８】
［２．１．１．操作部１１］
操作部１１は、例えば、タッチパネルに用いられるタッチパッドである。タッチパッドは、例えば、静電容量の変化によってユーザの接触操作を受け付ける平板状のセンサーを有する。
【００２９】
操作部１１は、ユーザの接触操作を受け付ける操作面１１ａを有する。例えば、ユーザが指またはタッチペンのようなポインティングデバイスを用いて操作面１１ａ上で接触操作を行うと、操作部１１は、操作面１１ａに対するユーザの接触操作に応じた信号を制御部１２へ出力する。なお、かかる操作部１１の構成については、別途詳述する。
【００３０】
［２．１．２．制御部１２］
制御部１２は、入力装置１０に含まれる各部を制御する。制御部１２は、操作部１１の操作面１１ａを介して受け付けたユーザの接触操作に応じた信号に基づいて、記憶部１４に対するデータの読み出しまたは書き込みを実行し、信号を振動部１３および表示部２０に出力する。制御部１２は、例えば、コンピュータのＣＰＵ（Central  Processing  Unit）である。制御部１２は、検出部１２ａと、振動制御部１２ｂと、表示制御部１２ｃとを備える。
【００３１】
［２．１．２．１．検出部１２ａ］
検出部１２ａは、操作部１１から出力された信号に基づいて、操作部１１の操作面１１ａに対するユーザの接触操作を検出する。検出部１２ａは、操作面１１ａに対するユーザの接触操作を検出すると、ユーザの接触操作の検出結果に応じた信号を振動制御部１２ｂおよび表示制御部１２ｃへ出力する。
【００３２】
［２．１．２．２．振動制御部１２ｂ］
振動制御部１２ｂは、検出部１２ａから出力された信号、すなわち、検出部１２ａによって検出された接触操作に基づいて、振動部１３に含まれる第１の振動素子１３ａおよび第２の振動素子１３ｂの振動を制御する。
【００３３】
振動制御部１２ｂは、第１の振動素子１３ａおよび第２の振動素子１３ｂの振動に対応する電圧信号を振動部１３へ出力する。
【００３４】
振動制御部１２ｂは、例えば、超音波周波数帯で第１の振動素子１３ａおよび第２の振動素子１３ｂを振動させることができる。この場合には、ユーザの指と操作面１１ａとの間に空気層が形成され、ユーザの指と操作面１１ａとの間の摩擦力が低減する。その結果、ユーザは、ユーザの指と操作面１１ａとの間の低減された摩擦力によって、操作面１１ａのより滑らかな触感を得ることが可能となる。
【００３５】
例えば、検出部１２ａが、操作面１１ａに対するユーザの指の押圧または移動を検出すると、振動制御部１２ｂは、超音波周波数帯で第１の振動素子１３ａおよび第２の振動素子１３ｂの振動を制御することができる。それによって、ユーザの指と操作面１１ａとの間の摩擦力を制御することができる。その結果、入力装置１０は、操作面１１ａに対するユーザの触感を制御することが可能となる。
【００３６】
なお、振動制御部１２ｂは、超音波周波数帯で第１の振動素子１３ａおよび第２の振動素子１３ｂを振動させるとしたが、振動制御部１２ｂは、超音波周波数帯よりも低い周波数で第１の振動素子１３ａおよび第２の振動素子１３ｂを振動させてもよい。この場合には、入力装置１０は、ユーザに振動の触感を与えることが可能となる。
【００３７】
［２．１．２．３．表示制御部１２ｃ］
表示制御部１２ｃは、検出部１２ａから出力された信号に基づいて、表示部２０に表示させる情報に対応する信号を出力する。
【００３８】
［２．１．３．振動部１３］
振動部１３は、操作部１１を振動させる少なくとも１つの振動素子、例えば、第１の振動素子１３ａおよび第２の振動素子１３ｂを備える。
【００３９】
第１の振動素子１３ａおよび第２の振動素子１３ｂの各々は、例えば、圧電素子（ピエゾ素子）で構成された圧電アクチュエータである。この場合には、第１の振動素子１３ａおよび第２の振動素子１３ｂの各々は、制御部１２から出力された電圧信号に基づいて伸縮することで操作部１１を振動させる。
【００４０】
第１の振動素子１３ａおよび第２の振動素子１３ｂの各々は、操作部１１と接触するように設けられる。第１の振動素子１３ａおよび第２の振動素子１３ｂは、第１の振動素子１３ａおよび第２の振動素子１３ｂによって発生させられる波が重なり合って定常波を形成するように設けられる。例えば、第１の振動素子１３ａおよび第２の振動素子１３ｂの各々は、図１に示すように、操作面１１ａを挟むように、かつ、操作部１１を振動させる波の伝播方向と垂直な方向に延びるように、設けられる。
【００４１】
振動部１３が、操作面１１ａを挟むように設けられた第１の振動素子１３ａおよび第２の振動素子１３ｂを含むとしたが、振動部１３に含まれる振動素子の個数および配置は、特に限定されない。例えば、振動部１３に含まれる振動素子の個数は、一個であってもよい。また、例えば、操作面１１ａの両端部の各々に二個の振動素子を配置してもよく、操作面１１ａの片方の端部のみに二個の振動素子を配置してもよい。
【００４２】
また、第１の振動素子１３ａおよび第２の振動素子１３ｂの各々が圧電アクチュエータであるとしたが、第１の振動素子１３ａおよび第２の振動素子１３ｂの各々は、圧電アクチュエータに限定されない。例えば、第１の振動素子１３ａおよび第２の振動素子１３ｂの各々は、超音波周波数で操作部１１を振動させることが可能な素子であってもよい。
【００４３】
［２．１．４．記憶部１４］
記憶部１４は、入力装置１０に含まれる各部によって実行される処理に必要な情報および／または入力装置１０に含まれる各部によって実行される処理の結果を記憶する。
【００４４】
記憶部１４は、例えば、ユーザの接触操作に関するデータならびにユーザの接触操作に関するデータと関連付けられた振動素子の制御データおよび表示部２０に表示する情報を記憶する。表示部２０に表示する情報は、例えば、地図など車両のナビゲーションを行うための画像またはテレビもしくはインターネットの動画もしくは静止画のような画像データであってもよい。
【００４５】
記憶部１４は、例えば、ＲＡＭ（Random  Access  Memory）、ＲＯＭ（Read  Only  Memory）、もしくはフラッシュメモリのような半導体メモリ素子、ハードディスク、または光ディスクのような記憶デバイスである。
【００４６】
［２．２．表示部２０］
表示部２０は、表示制御部１２ｃから出力された信号に基づいて、すなわち、入力装置１０に含まれる検出部１２ａによって検出された接触操作に基づいて、情報を表示する。表示部２０は、たとえば液晶ディスプレイである。表示部２０は、ユーザに情報を提示する。
【００４７】
図３は、表示部２０の第１の配置例を説明する図である。図３に示す例においては、表示部２０は、入力装置１０と一体的に設けられる。入力装置１０および表示部２０は、入力装置１０に含まれる操作部１１の操作面１１ａが表示部２０の表示領域と対向するように、配置される。操作部１１の操作面１１ａは、光透過性の材料で形成される。この場合には、ユーザは、表示部２０の表示領域に表示された情報を、操作面１１ａを介して視認することができる。
【００４８】
図４は、表示部２０の第２の配置例を説明する図である。図４に示す例においては、表示部２０は、入力装置１０と別個に設けられる。入力装置１０は、表示部２０と有線または無線で通信するように構成される。入力装置１０および表示部２０は、入力装置１０に含まれる操作部１１の操作面１１ａにおける特定の位置が、表示部２０の表示領域における特定の位置と対応するように、構成される。
【００４９】
［３．１．操作部１１の第１の構成例］
次に、図１に示す操作部１１の第１の構成例について図５Ａおよび図５Ｂを用いて説明する。図５Ａは、操作部１１の第１の構成例を説明する平面図である。図５Ｂは、操作部１１の第１の構成例を説明する側面図である。図５Ａに示すＺ軸の正方向および負方向は、それぞれ、図５Ａの紙面に対して奥側および手前側に対応する。
【００５０】
図５Ａおよび図５Ｂに示す操作部１１の構成要素のうち、図１に示す操作部１１の構成要素と同一または類似の構成要素については、図１に示す符号と同一の符号を付与し、その説明を省略または簡略化することにする。また、図５Ａおよび図５Ｂに示す例では、説明の便宜上、第１の振動素子１３ａおよび第２の振動素子１３ｂも図示している。
【００５１】
図５Ａおよび図５Ｂに示す操作部１１は、操作面１１ａを有する。第１の振動素子１３ａおよび第２の振動素子１３ｂの各々は、操作部１１を振動させる。第１の振動素子１３ａおよび第２の振動素子１３ｂによって発生させられた操作部１１を振動させる波は、操作面１１ａの略矩形の長辺方向、すなわち、Ｘ軸方向に伝播する。
【００５２】
操作部１１は、第１の領域１１ｂと、第２の領域１１ｃおよび１１ｄとを有する。第１の領域１１ｂは、操作面１１ａを有する。
【００５３】
第２の領域１１ｃおよび１１ｄの各々は、第１の領域１１ｂの周辺に設けられ第１の領域１１ｂの剛性よりも高い剛性を備える。これにより、操作部１１を振動させる際に発生するノイズを低減すると共に操作部１１の振動を安定化させることが可能となる。
【００５４】
図５Ａおよび図５Ｂに示す操作部１１においては、第２の領域１１ｃおよび１１ｄの各々は、操作部１１を振動させる波の伝播方向に沿って延びる形状を有する。例えば、第２の領域１１ｃおよび１１ｄの各々は、第１の領域１１ｂを振動させる波の伝播方向、すなわち、Ｘ軸方向に沿って延びる略矩形の形状を有する。
【００５５】
この場合には、第２の領域１１ｃおよび１１ｄが、操作部１１を振動させる波の伝播を阻害することを防止することが可能となる。それによって、操作部１１の振動をより安定化させることが可能となる。
【００５６】
なお、第２の領域１１ｃおよび１１ｄの各々のサイズは、振動板１１ｅの振動を安定化させるように振動板１１ｅに剛性を付与することができる限り、特に限定されない。例えば、Ｘ軸方向に沿った第２の領域１１ｃおよび１１ｄの各々の長さは、第１の振動素子１３ａと第２の振動素子１３ｂとの間の距離よりも大きくても小さくてもよい。
【００５７】
ただし、第２の領域１１ｃおよび１１ｄの各々は、一個の領域であることが好ましい。この場合には、第２の領域１１ｃおよび１１ｄの各々をより簡便に操作部１１に配置することが可能となる。
【００５８】
図５Ａおよび図５Ｂに示す操作部１１においては、第２の領域１１ｃおよび１１ｄは、第１の領域１１ｂを間に挟む位置に設けられる。例えば、第２の領域１１ｃおよび１１ｄが第１の領域１１ｂに対して略対称的に設けられる。
【００５９】
この場合には、第２の領域１１ｃおよび１１ｄは、操作部１１に対して略対称的に剛性を付与することが可能となる。それによって、操作部１１の振動をより安定化させることが可能となる。
【００６０】
図５Ａおよび図５Ｂに示す操作部１１において、操作部１１は、操作面１１ａを有する振動板１１ｅを備える。第１の振動素子１３ａおよび第２の振動素子１３ｂは、振動板１１ｅを振動させる。
【００６１】
第１の領域１１ｂは、振動板１１ｅ上の領域である。第２の領域１１ｃは、振動板１１ｅの一側面に第１の補強部材１０１ａを貼り付けることによって形成される。第２の領域１１ｄは、振動板１１ｅの一側面に第２の補強部材１０１ｂを貼り付けることによって形成される。
【００６２】
第１の補強部材１０１ａおよび第２の補強部材１０１ｂの各々は、例えば、Ｘ軸方向に長辺を有する略短冊状の部材である。第１の補強部材１０１ａおよび第２の補強部材１０１ｂの各々は、例えば、接着剤または粘着テープによって振動板１１ｅの一側面に貼り付けられる。
【００６３】
この場合には、振動板１１ｅの一面に第１の補強部材１０１ａおよび第２の補強部材１０１ｂを貼り付けることによって、第１の領域１１ｂの剛性よりも高い剛性を備える第２の領域１１ｃおよび１１ｄを簡便に形成することができる。
【００６４】
第１の補強部材１０１ａおよび第２の補強部材１０１ｂの各々の材質は、特に限定されない。第１の補強部材１０１ａおよび第２の補強部材１０１ｂの各々の材質は、例えば、ステンレス鋼のような金属、ガラス、またはセラミックであってもよい。
【００６５】
ただし、操作部１１が、静電容量の変化によって位置検出を行うタッチパッドである場合等には、第１の補強部材１０１ａおよび第２の補強部材１０１ｂの各々の材質は、好ましくは、導電体である金属ではなく、ガラスまたはセラミックである。
【００６６】
この場合には、第１の補強部材１０１ａおよび第２の補強部材１０１ｂが、操作面１１ａに対するユーザの接触操作を受け付ける操作部１１の動作に及ぼす影響を低減することができる。
【００６７】
振動板１１ｅの材質としては、例えば、ガラス、有機ガラス、またはポリカーボネートのような透過性を有する材料を用いてもよい。しかしながら、振動板１１ｅの材質は、透過性を有する材料に限定されない。振動板１１ｅの材質としては、例えば、ポリ塩化ビニル樹脂、シリコーン樹脂、またはシリコーンゴムを用いてもよい。
【００６８】
［３．２．操作部１１の第２の構成例］
次に、図１に示す操作部１１の第２の構成例について図６Ａおよび図６Ｂを用いて説明する。図６Ａは、操作部１１の第２の構成例を説明する平面図である。図６Ｂは、操作部１１の第２の構成例を説明する側面図である。また、図５Ａおよび図５Ｂに示す例と同様に、図６Ａおよび図６Ｂに示す例では、説明の便宜上、第１の振動素子１３ａおよび第２の振動素子１３ｂも図示している。
【００６９】
図６Ａおよび図６Ｂに示す操作部１１の構成要素のうち、図５Ａおよび図５Ｂに示す操作部１１の構成要素と同一または類似の構成要素については、図５Ａおよび図５Ｂに示す符号と同一の符号を付与し、その説明を省略または簡略化することにする。図６Ａおよび図６Ｂに示す操作部１１は、操作部１１に含まれる第２の領域１１ｃおよび１１ｄの構成の点で、図５Ａおよび図５Ｂに示す操作部１１と相違する。
【００７０】
図６Ａおよび図６Ｂに示す操作部１１は、操作面１１ａを有する振動板１１ｅを備え、第２の領域１１ｃおよび１１ｄの各々における振動板１１ｅの厚さは、第１の領域１１ｂにおける振動板１１ｅの厚さよりも大きい。例えば、振動板１１ｅは、第２の領域１１ｃにおける第１の凸部１０２ａおよび第２の領域１１ｄにおける第２の凸部１０２ｂを有する。
【００７１】
このように、第２の領域１１ｃは、第１の領域１１ｂにおける振動板１１ｅの厚さより大きい厚さを有する第１の凸部１０２ａによって形成される。第２の領域１１ｄは、第１の領域１１ｂにおける振動板１１ｅの厚さより大きい厚さを有する第２の凸部１０２ｂによって形成される。
【００７２】
この場合には、振動板１１ｅとして、第２の領域１１ｃおよび１１ｄの各々を第１の領域１１ｂと一体的に形成することができる。例えば、振動板１１ｅの少なくとも一面に補強部材を設けることなく、操作部１１に第２の領域１１ｃおよび１１ｄを形成することができる。
【００７３】
第１の凸部１０２ａおよび第２の凸部１０２ｂを有する振動板１１ｅを形成するために、例えば、研削、研磨、機械的エッチング、または化学的エッチングの手段によって、振動板１１ｅを形成するための平板を加工してもよい。例えば、振動板１１ｅを形成するための平板を、第１の凸部１０２ａおよび第２の凸部１０２ｂに対応する部分以外の部分の厚さ、例えば、中央部分の厚さ、を低減するように、加工してもよい。
【００７４】
なお、操作部１１の第２の構成例における振動板１１ｅの材質としては、操作部１１の第１の構成例における振動板１１ｅの材質を用いることができる。
【００７５】
［３．３．操作部１１の第３の構成例］
次に、図１に示す操作部１１の第３の構成例について図７Ａおよび図７Ｂを用いて説明する。図７Ａは、操作部１１の第３の構成例を説明する平面図である。図７Ｂは、操作部１１の第３の構成例を説明する側面図である。また、図５Ａおよび図５Ｂに示す例と同様に、図７Ａおよび図７Ｂに示す例では、説明の便宜上、第１の振動素子１３ａおよび第２の振動素子１３ｂも図示している。
【００７６】
図７Ａおよび図７Ｂに示す操作部１１の構成要素のうち、図５Ａおよび図５Ｂに示す操作部１１の構成要素と同一または類似の構成要素については、図５Ａおよび図５Ｂに示す符号と同一の符号を付与し、その説明を省略または簡略化することにする。図７Ａおよび図７Ｂに示す操作部１１は、操作部１１に含まれる第２の領域１１ｃおよび１１ｄの構成の点で、図５Ａおよび図５Ｂに示す操作部１１と相違する。
【００７７】
図７Ａおよび図７Ｂに示す操作部１１は、操作面１１ａを有する振動板１１ｅを備え、第２の領域１１ｃは、振動板１１ｅの上面、側面、および下面に第１の補強部材１０３ａをはめ込むことによって形成される。第２の領域１１ｄは、振動板１１ｅの上面、側面、および下面に第２の補強部材１０３ｂをはめ込むことによって形成される。
【００７８】
第１の補強部材１０３ａおよび第２の補強部材１０３ｂの各々は、図７Ｂに示すようにＹＺ平面において略コの字型の断面を有する部材である。第１の補強部材１０３ａおよび第２の補強部材１０３ｂの各々は、略コの字型の断面を有する部材の凹部に振動板１１ｅの周辺部分を挿入することによって、振動板１１ｅの上面、側面、および下面にはめ込まれる。
【００７９】
なお、操作部１１の第３の構成例における振動板１１ｅ、第１の補強部材１０３ａおよび第２の補強部材１０３ｂの材質としては、操作部１１の第１の構成例における振動板１１ｅ、第１の補強部材１０３ａおよび第２の補強部材１０３ｂの材質を用いることができる。
【００８０】
この場合には、振動板１１ｅの上面、側面、および下面に第１の補強部材１０３ａおよび第２の補強部材１０３ｂをはめ込むことによって、第１の領域１１ｂの剛性よりも高い剛性を備える第２の領域１１ｃおよび１１ｄをさらに簡便に形成することができる。
【００８１】
なお、操作部１１の第２の領域１１ｃおよび１１ｄの各々の構成は、上述したものに限定されるものではない。例えば、第２の領域１１ｃおよび１１ｄの各々は、振動板１１ｅの表面に凹部を設けると共に振動板１１ｅの表面に設けられた凹部に補強部材を埋め込むことによって形成されてもよい。この場合には、振動板１１ｅの表面に設けられた凹部によって補強部材をより容易に位置決めすることが可能となる。
【００８２】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００８３】
１  表示装置
１０  入力装置
２０  表示部
１１  操作部
１１ａ  操作面
１１ｂ  第１の領域
１１ｃ，１１ｄ  第２の領域
１１ｅ  振動板
１２  制御部
１２ａ  検出部
１２ｂ  振動制御部
１２ｃ  表示制御部
１３  振動部
１３ａ  第１の振動素子
１３ｂ  第２の振動素子
１４  記憶部
１０１ａ，１０３ａ  第１の補強部材
１０１ｂ，１０３ｂ  第２の補強部材
１０２ａ  第１の凸部
１０２ｂ  第２の凸部
【図１】
0006709628.tif 000002
【図２】
0006709628.tif 000003
【図３】
0006709628.tif 000004
【図４】
0006709628.tif 000005
【図５Ａ】
0006709628.tif 000006
【図５Ｂ】
0006709628.tif 000007
【図６Ａ】
0006709628.tif 000008
【図６Ｂ】
0006709628.tif 000009
【図７Ａ】
0006709628.tif 000010
【図７Ｂ】
0006709628.tif 000011